(57)【特許請求の範囲】
【請求項１】
帽子状に形成された帽子状部材と、帽子状部材によって外面側を覆われた保護部材とを備えた頭部保護具において、
前記保護部材を、帽子状部材の後部下端側を除く部分に配置される第１の保護部と、帽子状部材の後部下端側に配置される第２の保護部とから形成し、
第２の保護部にそれぞれ帯状に延びる外側保護部及び内側保護部を設けるとともに、外側保護部及び内側保護部を互いに厚さ方向に段差をなすように形成して外側保護部と内側保護部との間に間隙部を設け、
保護部材の前部下端側には、保護部材の前端側の周縁に沿って延びるクッション材を設け、
クッション材を、帽子状部材の鍔部に接合するとともに、鍔部との接合部を折り曲げることにより、鍔部の下面側から保護部材の内側へ移動可能に形成した
ことを特徴とする頭部保護具。
【請求項２】
前記保護部材の頂部側にクッション材を設けた
ことを特徴とする請求項１記載の頭部保護具。
【請求項３】
前記保護部材の左右側面下部側にクッション材を設けた
ことを特徴とする請求項１または２記載の頭部保護具。
【発明の詳細な説明】
【技術分野】
【０００１】
本発明は、例えば癲癇（てんかん）の発作時に頭部を保護するための頭部保護具に関するものである。
【背景技術】
【０００２】
従来、人体の頭部に着用して使用する頭部保護具としては、いわゆるヘッドギアのように頭部を覆う衝撃吸収性の部材からなり、通気性を確保するために一部を開口したものが知られている。この頭部保護具は、転倒等により頭部を損傷するおそれのあるスポーツ等に用いられるが、それ以外にも癲癇の患者にも使用される。例えば、癲癇の患者が発作を起こした場合、症状によっては意識を失って倒れることがあるため、その際に頭部を強打する危険性がある。そこで、前記頭部保護具を着用することにより、発作時における患者の頭部を保護するようにしている。しかしながら、日常生活においてヘッドギアのような構造の頭部保護具を着用していると、周囲から癲癇の患者であると見られ易いため、頭部保護具の着用をためらう患者も少なくない。
【０００３】
そこで、帽子状に形成された頭部保護具が提案されており（例えば、特許文献１参照。）、このような頭部保護具であれば、一見して普通の帽子と変わらず、見栄えを気にする患者であってもためらうことなく着用することができる。
【特許文献１】特開２００５−５４２９８号公報
【発明の開示】
【発明が解決しようとする課題】
【０００４】
ところで、前記帽子状頭部保護具は、主に工場等の作業現場用に使用されるものであるため、上方からの落下物に対する衝撃吸収性は高い構造になっているが、前後左右に対する衝撃に対しては特に緩衝性の高い構造にはなっていない。しかしながら、癲癇の発作時は転倒して頭部を強打する場合が多いため、前述のような作業現場用の頭部保護具では後頭部や前頭部の保護が不十分であり、癲癇の患者用としては適正なものではなかった。また、頭部保護具の後部を緩衝性の高い部材で完全に覆うようにした場合は、通気性が低下して蒸れ易くなり、特に後頭部は汗をかき易いため、夏場等においては快適に使用することができないという問題点がある。
【０００５】
本発明は前記問題点に鑑みてなされたものであり、その目的とするところは、着用時の見栄えを低下させることがなく、転倒時の頭部に対する衝撃吸収性を高めることができ、しかも通気性に優れた頭部保護具を提供することにある。
【課題を解決するための手段】
【０００６】
本発明は前記目的を達成するために、帽子状に形成された帽子状部材と、帽子状部材によって外面側を覆われた保護部材とを備えた頭部保護具において、前記保護部材を、帽子状部材の後部下端側を除く部分に配置される第１の保護部と、帽子状部材の後部下端側に配置される第２の保護部とから形成し、第２の保護部にそれぞれ帯状に延びる外側保護部及び内側保護部を設けるとともに、外側保護部及び内側保護部を互いに厚さ方向に段差をなすように形成して外側保護部と内側保護部との間に間隙部を設け、保護部材の前部下端側には、保護部材の前端側の周縁に沿って延びるクッション材を設け、クッション材を、帽子状部材の鍔部に接合するとともに、鍔部との接合部を折り曲げることにより、鍔部の下面側から保護部材の内側へ移動可能に形成している。
【０００７】
これにより、着用者の頭部を覆う保護部材の外側が帽子状部材によって覆われていることから、外部から見て普通の帽子と変わらず、見栄えを低下させることがない。また、帽子状部材の後部下端側に配置された外側保護部の厚さ方向の弾性変形によって衝撃が吸収されることから、後頭部に対する衝撃吸収性を高めることができるとともに、外側保護部と内側保護部との間の間隙部によって通気性を確保することができる。更に、保護部材の前部下端側にはクッション材が設けられていることから、着用者が前方に転倒した場合、保護部材の第１の保護部のみならず、クッション材によっても衝撃を吸収することができる。この場合、クッション材は帽子状部材の鍔部の下面側から保護部材の内側へ位置を変えられるように設けられているので、頭部の小さい子供等が着用する場合は、クッション材を帽子状部材の内側へ位置させることによりサイズを調整することができる。
【発明の効果】
【０００８】
本発明の頭部保護具によれば、着用時に外部から見て普通の帽子と変わらないので、例えば癲癇の患者が日常生活において着用していても、周囲から癲癇の患者であると見られることがなく、見栄えを気にする患者であっても躊躇なく着用することができる。また、後頭部に対する衝撃吸収性を高めることができるので、転倒によって頭部への衝撃を受け易い癲癇の患者用として最適である。更に、汗をかき易い後頭部への通気性を高めることができるので、夏場においても快適に使用することができる。更に、着用者が前方に転倒した場合、保護部材の第１の保護部のみならず、クッション材によっても衝撃を吸収することができ、頭部をより効果的に保護することができる。この場合、頭部の小さい子供等が着用する場合は、クッション材を帽子状部材の内側へ位置させることによりサイズを調整することができ、汎用性の向上を図ることができる。
【発明を実施するための最良の形態】
【０００９】
図１乃至図５は本発明の一実施形態を示すもので、図１は頭部保護具の正面側斜視図、図２はその背面側斜視図、図３はその分解斜視図、図４はその側面断面図、図５はその底面図である。
【００１０】
この頭部保護具は、キャップ状に形成された帽子状部材１０と、帽子状部材１０の内側に設けられた保護部材２０とを備えている。
【００１１】
帽子状部材１０は、一般の帽子と同様の布地からなり、その前端には鍔部１１が一体に設けられている。帽子状部材１０の後部下端側には略半円状の開口部１２が設けられ、帽子状部材１０の頂部には複数の通気孔１３が設けられている。また、帽子状部材１０には左右一対の耳掛紐１４と顎掛紐１５が設けられている。各耳掛紐１４は両端を帽子状部材１０に前後方向に間隔をおいて連結され、その略中央に顎掛紐１５の一端が連結されている。各顎掛紐１５の他端には互いに着脱可能な周知の連結具１５ａが取付けられており、各連結具１５ａによって各顎紐１５の他端同士が連結されるようになっている。
【００１２】
保護部材２０は、帽子状部材１０の後部下端側を除く部分に配置される第１の保護部２１と、帽子状部材１０の後部下端側に配置される第２の保護部２２とから形成されている。第１の保護部２１は合成樹脂によって形成されたヘルメット状の部材からなり、その外面側を帽子状部材１０によって覆われている。第１の保護部２１の後部下端側には帽子状部材１０の開口部１２に対応する切り欠き部２１ａが設けられ、第１の保護部２１の頂部には帽子状部材１０の各通気孔１３に対応する複数の通気孔２１ｂが設けられている。第２の保護部２２は合成樹脂によって形成された略扇状の部材からなり、第１の保護部２１の後部下端側に切り欠き部２１ａを覆うように接合されている。第２の保護部２２にはそれぞれ幅方向に帯状に延びる複数の外側保護部２２ａ及び複数の内側保護部２２ｂが設けられ、外側保護部２２ａ及び内側保護部２２ｂは一つずつ交互に上下方向に配置されている。この場合、外側保護部２２ａ及び内側保護部２２ｂは互いに厚さ方向に段差をなすように形成され、各外側保護部２２ａと各内側保護部２２ｂとの間には複数の間隙部２２ｃが形成されている。
【００１３】
保護部材２０の前部下端側には第１のクッション材２３が設けられ、第１のクッション材２３は保護部材２０の前端側の周縁に沿って延びる断面略三角形状の緩衝性部材からなる。第１のクッション材２３は布地によって被覆され、被覆の一部を延出してなる接合部２３ａを介して鍔部１１の下面に接合されている。この場合、第１のクッション材２３は、接合部２３ａを折り曲げることにより、図４に示すように鍔部１１の下面側から保護部材２０の内側へ移動可能に設けられている。
【００１４】
また、第１の保護部２１の内面における左右側面下部には、それぞれ前後方向に延びる帯状の第２のクッション材２４が設けられている。更に、第１の保護部２１の頂部内面側には前後方向に延びる帯状の第３のクッション材２５が設けられ、第３のクッション材２５には第１の保護部２１の各通気孔２１ｂに対応する複数の通気孔２５ａが設けられている。
【００１５】
以上のように構成された頭部保護具は、例えば癲癇の患者の頭部に着用して使用される。即ち、頭部保護具を着用すると、着用者の頭部全体が保護部材２０によって覆われる。この場合、第１のクッション材２３は、図４の実線に示すように鍔部１１の下面に位置させて使用されるが、頭部の小さい子供等が着用する場合は、図４の一点鎖線に示すように第１のクッション材２３を帽子状部材１０の内側へ位置させることにより、サイズを調整することができる。また、保護部材２０は帽子状部材１０によって覆われているので、一見して普通の帽子と変わらない。着用者の後頭部は保護部材２０の第２の保護部２２によって覆われるが、第２の保護部２２の各間隙部２２ｃによって通気性が確保される。
【００１６】
ここで、前記着用者が癲癇の発作時に転倒して頭部を強打した場合には、保護部材２０によって着用者の頭部が保護される。例えば、後方に転倒した場合には、第２の保護部２２の各外側保護部２２ａが内側に弾性変形して頭部への衝撃が吸収される。また、前方に転倒した場合には、第１の保護部２１及び第１のクッション材２３によって頭部への衝撃が吸収され、横向きに転倒した場合には第１の保護部２１及び第２のクッション材２４によって頭部への衝撃が吸収される。更に、階段等から逆さまに転落した場合は、保護部材２０の第１の保護部２１及び第３のクッション材２５によって頭部が保護される。
【００１７】
このように、本実施形態の頭部保護具によれば、着用者の頭部を覆う保護部材２０の外側を帽子状部材１０によって覆うようにしたので、外部から見て普通の帽子と変わらず、例えば癲癇の患者が日常生活において着用していても、周囲から癲癇の患者であると見られることがなく、見栄えを気にする患者であってもためらうことなく着用することができる。
【００１８】
また、保護部材２０を、帽子状部材１０の後部下端側を除く部分に配置される第１の保護部２１と、帽子状部材１０の後部下端側に配置される第２の保護部２２とから形成し、第２の保護部２２には、幅方向に帯状に延びる複数の外側保護部２２ａ及び複数の内側保護部２２ｂを設けるとともに、外側保護部２２ａ及び内側保護部２２ｂを一つずつ交互に上下方向に配置し、外側保護部２２ａの厚さ方向の弾性変形によって衝撃を吸収するようにしたので、後頭部に対する衝撃吸収性を高めることができ、転倒によって頭部への衝撃を受け易い癲癇の患者用として最適である。この場合、外側保護部２２ａ及び内側保護部２２ｂを互いに厚さ方向に段差をなすように形成して外側保護部２２ａと内側保護部２２ｂとの間に間隙部２２ｃを設け、間隙部２２ｃによって通気性を確保するようにしたので、汗をかき易い後頭部への通気性を高めることができ、夏場においても快適に使用することができる。
【００１９】
更に、保護部材２０の前部下端側に第１のクッション材２３を設けたので、例えば着用者が前方に転倒した場合、保護部材２０の第１の保護部２１のみならず、第１のクッション材２３によっても衝撃を吸収することができ、頭部をより効果的に保護することができる。
【００２０】
この場合、第１のクッション材２３を鍔部１１の下面側から保護部材２０の内側へ位置を変えられるように設けたので、頭部の小さい子供等が着用する場合は、第１のクッション材２３を帽子状部材１０の内側へ位置させることによりサイズを調整することができ、汎用性の向上を図ることができる。
【００２１】
また、保護部材２０の左右側面下部側にそれぞれ第２のクッション材２４を設けたので、例えば着用者が横向きに転倒した場合、保護部材２０の第１の保護部２１のみならず、第２のクッション材２４によっても衝撃を吸収することができ、頭部をより効果的に保護することができる。
【００２２】
更に、保護部材２０の頂部側に第３のクッション材２５を設けたので、例えば着用者が逆さまに転落した場合、保護部材２０の第１の保護部２１のみならず、第３のクッション材２５によっても衝撃を吸収することができ、頭部をより効果的に保護することができる。
【００２３】
尚、前記実施形態では、保護部材２０の第１の保護部２１と第２の保護部２２とを互いに別体に形成して互いに接合したものを示したが、これらを一体に形成するようにしてもよい。また、第１の保護部２１及び第２の保護部２２を上下方向に延びるように形成し、互いに幅方向に配列するようにしてもよい。
【００２４】
更に、前記実施形態では、癲癇の患者が着用する場合を示したが、他の疾患により転倒のおそれがある場合にも使用することができるとともに、スポーツ用、作業現場用等にも使用することができる。
【００２５】
また、前記実施形態では、帽子状部材１０をキャップ状に形成したものを示したが、ハット状など、他の種類の帽子状に形成するようにしてもよい。
【図面の簡単な説明】
【００２６】
【図１】本発明の一実施形態を示す頭部保護具の正面側斜視図
【図２】頭部保護具の背面側斜視図
【図３】頭部保護具の分解斜視図
【図４】頭部保護具の側面断面図
【図５】頭部保護具の底面図
【符号の説明】
【００２７】
１０…帽子状部材、２０…保護部材、２１…第１の保護部、２２…第２の保護部、２２ａ…外側保護部、２２ｂ…内側保護部、２２ｃ…間隙部、２３…第１のクッション部、２４…第２のクッション部、２５…第３のクッション部。
【図１】
0004700458.tif 000002
【図２】
0004700458.tif 000003
【図３】
0004700458.tif 000004
【図４】
0004700458.tif 000005
【図５】
0004700458.tif 000006